(57)【要約】【課題】障害物の有無によって簡単に左右勝手を変更することができる門柱の提供。【解決手段】左右両側の支柱５、５とこれらの支柱５、５間に設けられた正面パネル６と背面パネル７とから門柱本体１を構成するとともに、正面パネル６と背面パネル７の上端面にはキャップ１３を取り付け、正面パネル６と背面パネル７の下端面には両パネル面と連続し支柱幅と同幅のポスト４を取り付けてなり、正面パネル６は、左右に門まわり機能機器の取り付け開口部１６、１７が形成されている。【選択図】図１
2010196416.tif 000002
【特許請求の範囲】
【請求項１】
門まわり機能機器を備えた門柱であって、左右両側の支柱とこれらの支柱間に設けられた正面パネルと背面パネルとから門柱本体を構成するとともに、正面パネルと背面パネルとから門柱本体を構成するとともに、正面パネルと背面パネルの上端面にはキャップを取り付け、正面パネルと背面パネルの下端面には両パネル面と連続し支柱幅と同幅のポストを取り付けてなり、正面パネルは、左右に門まわり機能機器の取り付け開口部が形成され、該開口部にはインターホンと表札が取り付けられていることを特徴とする門柱。
【請求項２】
上記表札は透光性を有してなり、表札の後方の門柱内部には照明を設けたことを特徴とする、請求項１に記載の門柱。
【請求項３】
上記照明は上端キャップの一側寄りに取り付けられていることを特徴とする、請求項１又は２に記載の門柱。
【請求項４】
上記正面パネルは天地又は反転可能に取り付けられたことを特徴とする、請求項１〜３のいずれかに記載の門柱。
【請求項５】
上記上部正面パネルの上端はキャップの先端より内側にオフセットし、上部正面パネルは上向きに傾斜するように配置されたことを特徴とする、請求項１〜４のいずれかに記載の門柱。
【発明の詳細な説明】
【技術分野】
【０００１】
本発明は、インターホン、ポスト、表札等を設けた門柱に関する。
【背景技術】
【０００２】
一般に、門柱にはインターホンやポスト、表札などの機能機器を取り付けられていることが多い。これらの門まわり機能機器は、門柱の上部に上下に並べて配置する、つまり最上部に表札、その下にインターホン、さらにその下にポストを配置するのが普通である。そのほか、門柱の上端に門灯、下端にフットライト等を取り付ける場合もある。このような配置構成は、従来から門柱は平面視において略正方形か、あるいは正背方向にやや長い長方形に形成されていたことに起因すると考えられる。
【先行技術文献】
【特許文献】
【０００３】
【特許文献１】特開２００６−２４１８７７号公報
【発明の概要】
【発明が解決しようとする課題】
【０００４】
しかしながら、門柱は必ずしも塀やフェンスに形成された開口部に設置されるわけではない。例えば、仕切り壁などの途中に壁面と直交するように出入り口が設けられているような場合で、しかも壁側の門柱にしかインターホンなどを取り付けることができないという事情がある場合には、壁面とインターホンとが近すぎ、壁面が障害となってインターホン越しに話をしにくいという問題があった。
【０００５】
本発明は上記問題点を解消し、特に障害物の有無によって簡単に左右勝手を変更することができる門柱を提供することをその課題とする。
【課題を解決するための手段】
【０００６】
前記課題を解決するため、請求項１に係る発明は、門まわり機能機器を備えた門柱であって、左右両側の支柱とこれらの支柱間に設けられた正面パネルと背面パネルとから門柱本体を構成するとともに、正面パネルと背面パネルの上端面にはキャップを取り付け、正面パネルと背面パネルの下端面には両パネル面と連続し支柱幅と同幅のポストを取り付けてなり、正面パネルは、左右に門まわり機能機器の取り付け開口部が形成され、該開口部にはインターホンと表札が取り付けられていることを特徴とする。
【０００７】
請求項２に係る発明は、請求項１において、上記表札は透光性を有してなり、表札の後方の門柱内部には照明を設けたことを特徴とする。
【０００８】
請求項３に係る発明は、請求項１又は２において、上記照明は上端キャップの一側寄りに取り付けられていることを特徴とする。
【０００９】
請求項４に係る発明は、請求項１〜３のいずれかにおいて、上記正面パネルは天地又は反転可能に取り付けられたことを特徴とする。
【００１０】
請求項５に係る発明は、請求項１〜４のいずれかにおいて、上記上部正面パネルの上端はキャップの先端より内側にオフセットし、上部正面パネルは上向きに傾斜するように配置されたことを特徴とする。
【発明の効果】
【００１１】
請求項１に係る発明によれば、左右両側の支柱とこれらの支柱間に設けられた正面パネルと背面パネルとから門柱本体を構成するとともに、正面パネルと背面パネルの上端面にはキャップを取り付け、正面パネルと背面パネルの下端面には両パネル面と連続し支柱幅と同幅のポストを取り付けてなるものであるから、ポストと正面パネルと背面パネルの取り付けを容易に行うことができる。また、正面パネルは、左右に門まわり機能機器の取り付け開口部が形成され、該開口部にはインターホンと表札が取り付けられているので、左右に幅広の門柱となり、障害物の近傍に門柱を設置する場合、障害物に遠い位置に片寄せてインターホンを取り付けることができる。したがって、インターホン越しの会話も円滑で、来訪客などに不快感を与えることがない。
【００１２】
また、正面パネルと背面パネルの下端面にはポストを取り付けたので、下端のキャップは不要となる。
【００１３】
さらに、門柱は幅広で奥行きを小さく形成し、さらに門まわり機能機器を張り出さずに配置したことにより、外観がすっきりとした意匠性の高い門柱をえることができる。
【００１４】
請求項２に係る発明によれば、表札は透光性を有してなり、表札の後方の門柱内部には照明を設けたから、照明に点灯すると表札の文字をはっきりと視認することができる。
【００１５】
請求項３に係る発明によれば、上記照明は上端のキャップの一側寄りに取り付けられているので、表札寄りに取り付けることにより、表札を有効に照らすことができる。
【００１６】
請求項４に係る発明によれば、正面パネルは天地又は反転可能に取り付けられているから、正面パネルの左右勝手を間違っても簡単に入れ替えることができ、また左右勝手の異なるものを２つ用意する必要がない。
【００１７】
請求項５に係る発明によれば、上部正面パネルの上端はキャップの先端より内側にオフセットし、上部正面パネルは上向きに傾斜するように配置されているから、キャップ先端の陰影が背面パネルに映るので、この陰影がデザイン的アクセントとなるので、外観が向上する。
【図面の簡単な説明】
【００１８】
【図１】本発明に係る門柱の正面図
【図２】キャップを外した状態の門柱本体の平面図
【図３】上部正面パネルの背面図
【図４】上記門柱を表札分で切断した縦断面図
【図５】上記門柱をインターホン部分で切断した縦断面図
【図６】表札が不透明な場合の要部の縦断面図
【発明を実施するための形態】
【００１９】
図１は本発明に係る門柱の正面図で、この門柱は、門柱本体１に門まわり機能機器として、表札２とインターホン３とポスト４とを取り付けたものである。
【００２０】
図２に示されるように、門柱本体１は左右両側の支柱５、５と、これらの支柱５、５間に配置された正面パネル６と背面パネル７とから構成されている。支柱５、５は、アルミニウムまたはその合金製の押出型材からなり、前後に中空部が形成され、前端の前部中空部の前方内壁には全長に沿って開口部８が形成され、開口部８は塞ぎ材２６によって閉塞されている。
【００２１】
正面パネル６と背面パネル７の下端面には両パネル面と連続し支柱５、５間の幅と同幅のポスト４が取り付けられている。ポスト４は正面が左右に幅広で奥行きが短いタイプで、正面の開閉蓋１０には横長の郵便物投入口１１が形成されている。開閉蓋１０は下端に設けられたヒンジ部（図示せず）を中心に外方に回動して開くように構成されている。ポスト４は前入れ前出し型でも前入れ後ろ出し型でもよい。
【００２２】
門柱本体１の上端には合成樹脂製のキャップ１３が取り付けられている。このキャップ１３に左右勝手はない。また、キャップ１３の左右一方の片寄り位置には取付板１９を介して照明電球（照明）１５が取り付けられている。このため、キャップ１３を外すと同時に照明電球１５も一緒にくっついてくるから、メンテナンス作業が容易である。
【００２３】
なお、キャップ１３と門柱本体１との間にはアクリル板１４が挟持固定されている。アクリル板１４の中央部には開口部１４ａ（図２参照）が形成されている。これにより、照明電球１５から発光された光の一部は開口部からアクリル板１４の内部を通ってその端面（キャップ１３と門柱本体１との間）から照射されるようになっている。
【００２４】
次に、正面パネル６には、図３に示されるように、表札２を取り付けるための第１の取付開口部１６とインターホン３を取り付けるための第２の取付開口部１７とが左右に並んで形成されている。また、正面パネル６の上下端から後方に屈曲した突片１８が平行に形成されているとともに、両側には直角に屈曲する取付片２０が形成されている。
【００２５】
図４に示されるように、正面パネル６の上端はキャップ１３の先端より内側にオフセットされ、正面パネル６は上向きに傾斜するように配置され、取付片２０は支柱５、５の内壁面に固定されている。また、上部突片１８にはキャップ１３とアクリル板１４を貫通したネジが締めこまれている。下部突片１８は後述のポスト４の上端部に載置されてネジ止め固定されている。
【００２６】
第１の取付開口部１６と第２の取付開口部１７はともに正面パネル６の幅方向に並んで形成され、天地又は反転可能に取り付けられているから、正面パネル６の左右勝手を間違えても、側方に１回転させて取り付けることにより簡単に直すことができるとともに、左右を入れ替えて取り付けることができる。
【００２７】
表札２は透光性を有するアクリル板からなり、第１の取付開口部１６の裏側に接着等によって固定されている。夜間は照明電球１５の光が透過するので、表札２の文字を鮮明に読み取ることができる。照明電球１５の位置と表札２は同じ側に配置するのが好ましい。なお、照明電球１５からの光の漏れは塞ぎ材２６によって有効に防止することができる。
【００２８】
表札２は不透明な板状体であってもよい。不透明な表札２も第１の取付開口部１６の表側に固定すればよい。なお、この場合は、照明電球１５からの光は透過しないので、図６に示されるように、正面パネル６の上部に開口部２１を形成するとともに、Ｌ字形に屈曲したアクリル板２２を取り付け、アクリル板２２の外表面を金属板２３で覆うようにするのがよい。これによれば、照明電球１５の光はアクリル板２２の内側の端面から内部を通って外側の端面から照射されるので、夜でも表札２の文字を読み取ることができる。なお、アクリル板２２は表札分にのみ配置される。
【００２９】
インターホン３の一部は図３に示されるように、第２の取付開口部１７の裏側から表側に嵌め込まれ、図２及び図５に示すように、第２の取付開口部１７に設けた取付金具１２にネジ止めにより固定されている。
【００３０】
なお、上部背面パネル７には、図２に示されるように、インターホン３と照明電球１５に電源を供給するケーブル２４の接続機器が取り付けられている。ケーブル２４は支柱５、５の中空部の内部を通って地下に配線されている。
【００３１】
上述のように、左右両側の支柱とこれらの支柱間に設けられた正面パネル６と背面パネル７とから門柱本体を構成するとともに、正面パネル６と背面パネル７の上端面にはキャップ１３を取り付け、正面パネル６と背面パネル７の下端面には両パネル面と連続し支柱５、５間の幅と同幅のポスト４を取り付けてなるものであるから、ポスト４と正面パネル６と背面パネル７の取り付けを容易に行うことができる。また、正面パネル６は、左右に門まわり機能機器２、３等の取り付け用の第１の開口部１６と第２の開口部１７が形成され、該開口部１６、１７にはインターホン３と表札２が取り付けられているので、左右に幅広の門柱となり、障害物の近傍に門柱を設置する場合、障害物に遠い位置に片寄せてインターホン３を取り付けることができる。したがって、インターホン越しの会話も円滑で、来訪客などに不快感を与えることがない。
【００３２】
また、正面パネル６と背面パネル７の下端面にはポスト４を取り付けたので、下端のキャップ１３は不要となる。
【００３３】
さらに、門柱は幅広で奥行きを小さく形成し、さらに門まわり機能機器を張り出さずに配置したことにより、外観がすっきりとした意匠性の高い門柱をえることができる。
【００３４】
また、表札２は透光性を有してなり、表札２の後方の門柱内部には照明１５を設けたから、照明に点灯すると表札２の文字をはっきりと視認することができる。
【００３５】
上記照明１５は上端のキャップ１３の一側寄りに取り付けられているので、表札２寄りに取り付けることにより、表札２を有効に照らすことができる。
【００３６】
さらに、正面パネル６は天地又は反転可能に取り付けられているから、正面パネル６の左右勝手を間違っても簡単に入れ替えることができ、また左右勝手の異なるものを２つ用意する必要がない。
【００３７】
ただし、正面パネル６は上述のような左右勝手兼用な構造でなくてもよいのはもちろんである。
【００３８】
しかも、上部正面パネル６の上端はキャップ１３の先端より内側にオフセットし、上部正面パネル６は上向きに傾斜するように配置されているから、キャップ１３先端の陰影が背面パネル７に映るので、この陰影がデザイン的アクセントとなるので、外観が向上する。また、表札２とインターホン３の上部はキャップ１３の庇効果により直接には雨に濡れないので、汚れにくい。
【符号の説明】
【００３９】
２  表札
３  インターホン
４  ポスト
５  支柱
６  正面パネル
７  背面パネル
１３  キャップ
１６  第１の取付開口部
１７  第２の取付開口部
【図１】
2010196416.tif 000003
【図２】
2010196416.tif 000004
【図３】
2010196416.tif 000005
【図４】
2010196416.tif 000006
【図５】
2010196416.tif 000007
【図６】
2010196416.tif 000008